(57)【要約】【課題】大きな引張強さを持ちながら必要に応じて容易に切断することのできる粘着ラベル、及びその粘着ラベルを用いて分離を容易に行える包装体の連結構造物を提供する。【解決手段】物品収納部１２と鍔状の封止部１３とを有して成る包装体１Ａ〜１Ｃを部分的に重なり合うようにして並べ、その各包装体を粘着ラベル２により連結する。粘着ラベル２は、ラベル本体２２と保護フィルム２３により構成される。ラベル本体２２には複数条の短小切目線２１Ａが刻まれ、保護フィルム２３にも複数条の短小切目線２１Ｂが刻まれる。短小切目線２１Ａ，２１Ｂは逆向きに傾斜して互いに交差する。そして、粘着ラベル２は、短小切目線２１Ａ，２１Ｂから成る切目集合領域２１が隣り合う包装体１Ａ，１Ｂおよび１Ｂ，１Ｃの境界部分を跨ぐようにして貼られる。【選択図】  図１
2007106427.tif 000002
【特許請求の範囲】
【請求項１】
裏面に粘着層が形成されるラベル本体の表面を保護フィルムにより被覆した粘着ラベルにおいて、
前記ラベル本体に刻まれる複数条の短小切目線と前記保護フィルムに刻まれる複数条の短小切目線とから成る切目集合領域を有し、
前記ラベル本体の各短小切目線は、該ラベル本体の端縁に沿って並んで各々がその並び方向に対し傾斜又は直交する方向に向けて形成され、
前記保護フィルムの各短小切目線は、ラベル本体の各短小切目線と一つずつ交差する状態で保護フィルムの端縁に沿って並んで各々がその並び方向に対し傾斜又は直交する方向に向けて形成されることを特徴とする粘着ラベル。
【請求項２】
裏面に粘着層が形成されるラベル本体の表面を保護フィルムにより被覆した粘着ラベルにおいて、
前記ラベル本体に刻まれる複数条の短小切目線と前記保護フィルムに刻まれる複数条の短小切目線とから成る切目集合領域を有し、
前記ラベル本体の各短小切目線は、該ラベル本体の端縁に沿って並んで各々がその並び方向に対し傾斜又は直交する方向に向けて形成され、
前記保護フィルムの各短小切目線は、ラベル本体の各短小切目線の間で保護フィルムの端縁に沿って並んで各々がその並び方向に対し傾斜又は直交する方向に向けて形成されることを特徴とする粘着ラベル。
【請求項３】
裏面に粘着層が形成されるラベル本体の表面を保護フィルムにより被覆した粘着ラベルにおいて、
前記保護フィルムにのみ刻まれる複数条の短小切目線から成る切目集合領域を有し、前記保護フィルムの各短小切目線は、該保護フィルムの端縁に沿って並んで各々がその並び方向に対し傾斜又は直交する方向に向けて形成されることを特徴とする粘着ラベル。
【請求項４】
物品を収納した物品収納部と該物品収納部を囲む鍔状の封止部とを有して成る複数個の包装体を部分的に重なり合うようにして並べ、その各包装体をその表裏両側に貼られる結合手段により連結した包装体の連結構造物において、表裏両側における結合手段の少なくとも一方が請求項１〜３のいずれかに記載の粘着ラベルで成り、その粘着ラベルにおける切目集合領域が隣り合う包装体の境界部分を跨いでいることを特徴とする粘着ラベルを用いた包装体の連結構造物。
【発明の詳細な説明】
【技術分野】
【０００１】
本発明は、大きな引張強さを持ちながら所定の位置で容易に切断することのできる粘着ラベルと、これを用いた包装体の連結構造物に関する。
【背景技術】
【０００２】
従来、商品の低価格販売を目的として、同種の物品を複数個纏めて販売することが一般に広く行われている。その一例として、数枚のスライスハムをプラスチックフィルムから成る包装材料で包装して個別販売が可能な包装体とし、その複数個を部分的に重なり合う状態に並べ、それらを販売価格などが記された粘着ラベルで連結したものが知られる。
【０００３】
そして、これを購入した消費者は、粘着ラベルを引き剥がして各包装体を分離した後、各包装体の中から物品を個別に取り出すことができる。
【０００４】
しかし、その種の連結構造物によれば、隣り合う包装体の物品収納部とその周囲の封止部とに粘着ラベルが強力に貼り付けられるため、各包装体が販売前に不用意に分離するのを防止することはできても、これを購入した消費者にとって各包装体を分離すべく粘着ラベルを引き剥がすことは至難であった。
【０００５】
そこで、消費者が各包装体を容易に分離できるよう、テープ片又はラベル（粘着ラベル）を各包装体の物品収納部のみに粘着せしめ、各包装体の周辺部（封止部）の位置で粘着ラベルにミシン目、Ｖ字カット、又はＩ字カットを形成することが提案されている（例えば、特許文献１）。
【０００６】
又、接着テープ（粘着ラベル）に接着領域と非接着領域を設け、非接着領域にミシン目、Ｖ字カット、又はＩ字カットを形成して切断容易部とし、その切断容易部を包装体の相互間で周辺部（封止部）の縁部に位置付けるという提案もある（例えば、特許文献２）。
【０００７】
【特許文献１】特許第２９４７３４９号公報
【０００８】
【特許文献２】特許第３５６４０４８号公報
【発明の開示】
【発明が解決しようとする課題】
【０００９】
然し乍ら、特許文献１、２に開示されるような従来方式によれば、粘着ラベルの一部が各包装体の部位に粘着されるだけなので各包装体の結束力が弱く、しかも粘着ラベルには包装体に対して非接着とされる部分にミシン目、Ｖ字カット、又はＩ字カットが形成されるので、その部分で粘着ラベルが不用意に破断してしまう虞がある。
【００１０】
例えば、ミシン目は図１０のように複数の短小な切目線Ｌが等間隔で一直線状に配列される形態であるので、包装体の輸送や陳列に際して粘着ラベルに図示矢印方向への引張力が作用すると、切目線Ｌ，Ｌの間に残された僅かな接続部に引張応力が集中し、係るミシン目の部分で粘着ラベルが破断してしまう。
【００１１】
又、Ｖ字カットやＩ字カットも、ラベルの一端縁からその内方に切り込まれるものであるから、その切込み部分でラベルが不用意に破断して各包装体が販売前に分離してしまう虞があった。
【００１２】
本発明は以上のような事情に鑑みて成されたものであり、その目的は大きな引張強さを持ちながら必要に応じて容易に切断することのできる粘着ラベルを提供することであり、更には係る粘着ラベルを用いた包装体の連結構造物にして、各包装体の分離作業を容易に行えるようにすることにある。
【課題を解決するための手段】
【００１３】
本発明は上記目的を達成するため、裏面に粘着層が形成されるラベル本体の表面を保護フィルムにより被覆した粘着ラベルにおいて、前記ラベル本体に刻まれる複数条の短小切目線と前記保護フィルムに刻まれる複数条の短小切目線とから成る切目集合領域を有し、前記ラベル本体の各短小切目線は、該ラベル本体の端縁に沿って並んで各々がその並び方向に対し傾斜又は直交する方向に向けて形成され、前記保護フィルムの各短小切目線は、ラベル本体の各短小切目線と一つずつ交差する状態で保護フィルムの端縁に沿って並んで各々がその並び方向に対し傾斜又は直交する方向に向けて形成されることを特徴とする。
【００１４】
又、裏面に粘着層が形成されるラベル本体の表面を保護フィルムにより被覆した粘着ラベルにおいて、前記ラベル本体に刻まれる複数条の短小切目線と前記保護フィルムに刻まれる複数条の短小切目線とから成る切目集合領域を有し、前記ラベル本体の各短小切目線は、該ラベル本体の端縁に沿って並んで各々がその並び方向に対し傾斜又は直交する方向に向けて形成され、前記保護フィルムの各短小切目線は、ラベル本体の各短小切目線の間で保護フィルムの端縁に沿って並んで各々がその並び方向に対し傾斜又は直交する方向に向けて形成されることを特徴とする。
【００１５】
更に、裏面に粘着層が形成されるラベル本体の表面を保護フィルムにより被覆した粘着ラベルにおいて、前記保護フィルムにのみ刻まれる複数条の短小切目線から成る切目集合領域を有し、前記保護フィルムの各短小切目線は、該保護フィルムの端縁に沿って並んで各々がその並び方向に対し傾斜又は直交する方向に向けて形成されることを特徴とする。
【００１６】
一方、物品を収納した物品収納部と該物品収納部を囲む鍔状の封止部とを有して成る複数個の包装体を部分的に重なり合うようにして並べ、その各包装体をその表裏両側に貼られる結合手段により連結した包装体の連結構造物において、表裏両側における結合手段の少なくとも一方が上記のように構成される粘着ラベルで成り、その粘着ラベルにおける切目集合領域が隣り合う包装体の境界部分を跨いでいることを特徴とする。
【発明の効果】
【００１７】
本発明に係る粘着ラベルは、ラベル本体と保護フィルムの積層構造にして、その両者にそれら端縁に沿って並ぶ複数条の短小切目線が個別に刻まれ、それら短小切目線が並び方向に対して傾斜又は直交する方向を向き、しかも保護フィルムの各短小切目線がラベル本体の各短小切目線に対し一つずつ交差されるか、又はラベル本体の各短小切目線の間に設けられることから、ラベル本体と保護フィルムが短小切目線の並び方向に沿う端縁の引張力に対する耐力低下を互いに補完し合う。
【００１８】
このため、ラベル本体と保護フィルムの各短小切目線から成る切目集合領域で粘着ラベルが不用意に破断してしまうことがなく、しかもラベル切断を意図して切目集合領域に所要の作用力を与えれば、保護フィルムの端縁に沿って形成される各短小切目線のうちの一箇所を出発点として保護フィルムを切断しながら、これに沿ってラベル本体を一緒に切断することができる。
【００１９】
又、保護フィルムにのみ、その端縁に沿って並ぶ複数条の短小切目線が刻まれ、その短小切目線が並び方向に対して傾斜又は直交する方向に向けて形成されることから、短小切目線の並び方向に沿う保護フィルムの端縁の引張力に対する耐力低下が、ラベル本体により補完される。
【００２０】
このため、保護フィルムの各短小切目線から成る切目集合領域で粘着ラベルが不用意に破断してしまうことがなく、しかもラベル切断を意図して切目集合領域に所要の作用力を与えれば、保護フィルムの端縁に沿って形成される各短小切目線のうちの一箇所を出発点として保護フィルムを切断しながら、これに沿ってラベル本体を一緒に切断することができる。
【００２１】
一方、上記のような粘着ラベルにより連結される包装体の連結構造物によれば、粘着ラベルにおける切目集合領域が隣り合う包装体の境界部分に跨っていることから、各包装体を必要に応じて簡単に分離することができ、包装体を製造元から販売先に輸送するときなどには各包装体を連結状態に維持することができる。
【発明を実施するための最良の形態】
【００２２】
以下、本発明を図面に基づいて詳しく説明する。図１は本発明に係る粘着ラベルを用いた包装体の連結構造物の構成例を示した平面図、図２は同連結構造物の側面図、図３は同連結構造物の底面図である。これらの図において、１Ａ，１Ｂ，１Ｃは包装体（本例において３連式）であり、その各包装体１Ａ〜１Ｃは、ポリエチレンやポリプロピレンといった熱可塑性を有する二枚のプラスチックフィルムで物品１１を挟み、その周囲をヒートシールして構成される。
【００２３】
本例において、物品１１は複数枚のスライスハムであり、これを収納した物品収納部１２は円形状を成して物品１１の厚さ分だけ表面側が隆起される。一方、１３は物品収納部１２を残して上下二枚のプラスチックフィルムをヒートシールして成る封止部であり、この封止部１３は四角い鍔状にして物品収納部１２を囲み、物品収納部１２の気密性を保持する働きをする。尚、封止部１３の一角は非溶着の開封部１４とされ、この開封部１４から上下のプラスチックフィルムを剥離して物品収納部１２内の物品１１を取り出し得るようになっている。
【００２４】
そして、以上のように構成される各包装体１Ａ〜１Ｃは、部分的に重なり合うようにして横列状に並べられ、それらの表裏両側に結合手段として粘着ラベル２，３が貼られて一体の連結構造物とされる。
【００２５】
本例において、粘着ラベル２，３は帯状の形態であり、このうち表側の粘着ラベル２には商品名や販売価格などが記され、裏側の粘着ラベル３には物品１１の原材料や製造元などが記される。尚、粘着ラベル２，３は、楕円形その他の形状でもよい。
【００２６】
ここに、粘着ラベル２，３は、隣り合う包装体１Ａ，１Ｂ及び１Ｂ，１Ｃの物品収納部１２と封止部１３とに粘着され、それらの両端は連結方向両側に位置する包装体１Ａ，１Ｃの物品収納部１２に粘着される。特に、本例において、表側の粘着ラベル２は、長辺側の両端縁に沿う領域が、その全長に亘って該粘着ラベルを横断方向に切断するのに用いられる帯状の切目集合領域２１とされ、その切目集合領域２１が隣り合う包装体１Ａ，１Ｂおよび１Ｂ，１Ｃの境界部分を跨いで各包装体１Ａ〜１Ｃの連結方向に延びるようになっている。
【００２７】
図４は係る粘着ラベルを示した平面図であり、図５には図４のＸ−Ｘ線における部分拡大断面を示す。
【００２８】
図５から明らかなように、係る粘着ラベル２は、ベースとなるラベル本体２２と該ラベル本体の表面全体を被覆する保護フィルム２３とを有して成る薄い積層構造物である。このうち、ラベル本体２２は原紙から打ち抜かれる定形の紙片（印刷紙）で、その裏面には粘着剤の塗工による粘着層２４が形成され、これと反対側の表面には印刷が施される。一方、保護フィルム２３はラベル本体２２と同形とされる合成樹脂製の薄片であり、これはラベル本体２２の表面上に重ねてヒートシールされるか、あるいは接着剤を用いてラベル本体２２の表面に接着される。尚、粘着層２４には使用前において図示せぬ離型紙（剥離ライナ）が貼着される。
【００２９】
図６は、ラベル本体と保護フィルムを別々に示した平面図である。これらの図で明らかなように、ラベル本体２２には、相対する長辺側の２つの端縁２２Ａ，２２Ａに沿って複数条の平行な短小切目線２１Ａが一定の間隔で刻まれる。本例において、ラベル本体２２の各短小切目線２１Ａは、その並び方向（端縁２２Ａの長さ方向）に対し傾斜する方向に向けて形成される斜めの切込みで、それらは各一端がラベル本体の端縁２２Ａに通じず閉鎖される。
【００３０】
一方、保護フィルム２３にも、相対する長辺側の２つの端縁２３Ａ，２３Ａに沿って複数条の平行な短小切目線２１Ｂが一定の間隔で刻まれる。この短小切目線２１Ｂもその並び方向（端縁２３Ａの長さ方向）に対し傾斜する方向に向けて形成され、その各一端が保護フィルム２３の端縁２３Ａに通じず閉鎖されるが、係る短小切目線２１Ｂはラベル本体の短小切目線２１Ａとは傾斜方向が逆向きとされる。
【００３１】
そして、保護フィルム２３の各短小切目線２１Ｂは、ラベル本体２２の表面上にあってその各短小切目線２１Ａに一つずつ交差され（図４に×印で示される）、それら各短小切目線２１Ａ，２１Ｂが同方向に連なって上記の切目集合領域２１が構成される。
【００３２】
ここで、上記のように構成される粘着ラベル２の作用を説明する。係る粘着ラベル２によれば、切目集合領域２１の長さ方向への引張力に対し、ラベル本体２２は短小切目線２１Ａの存在により端縁２２Ａの耐力が低下し、保護フィルム２３では短小切目線２１Ｂの存在により端縁２３Ａの耐力が低下している。
【００３３】
しかしながら、ラベル本体２２の端縁２２Ａの耐力低下はその上に重なる保護フィルム２３により補完され、保護フィルム２３の端縁２３Ａの耐力低下はその下に存在するラベル本体２２により補完される。
【００３４】
このため、係る粘着ラベル２は、ミシン目、Ｖ字カット、Ｉ字カットを設けた従来品に比べて大きな引張り強度を有しているが、図７のように切目集合領域に局部的に所要の引張力を作用せしめると、引張力が集中する位置において、保護フィルム２３は短小切目線２１Ｂ（実線で示す）の一端と端縁２３Ａとの間ａが破断し、これに隣接する位置でラベル本体２２は短小切目線２１Ａ（破線で示す）の一端と端縁２２Ａとの間ｂが破断する。
【００３５】
しかして、図８のように保護フィルム２３が短小切目線２１Ｂの位置から切り裂かれつつ、これに沿ってラベル本体２２も短小切目線２１Ａの位置から切り裂かれていくのであり、よって刃物を使用せずして粘着ラベル２を切断することができ、これによって連結される包装体も隣り合うもの同士の境界部分に切目集合領域２１が跨っているために（図１参照）、各包装体の分離作業を容易に行うことができる。尚、図９には粘着ラベル２の切断部分を拡大して示している。
【００３６】
次に、以上のような粘着ラベル２の製造方法を簡単に説明すれば、先ずラベル本体２２と成す原紙に印刷を施し、その裏面には粘着剤を塗工して離型シートを貼り付ける。次いで、原紙の各区域に短小切目線を刻み、その表面上に保護フィルム２３と成すプラスチックフィルムシートを重ね、これをヒートシールするか、又は接着剤を用いて接着する。
【００３７】
その後、プラスチックフィルムシートと印刷が施された原紙とを、同一の打抜型を用いて同時に打ち抜き、これと同時に原紙に刻んだ短小切目線の位置でプラスチックフィルムシートにその厚さ分だけ刃物を入れて短小切目線を刻み、これによって上記例のような粘着ラベル２を得る。
【００３８】
以上、本発明の構成例を説明したが、粘着ラベル２は上記のような構成に限らず、例えば図１０〜図１２のように切目集合領域２１を複数に分けて設け、部分的に重なり合う複数個の包装体を連結するに際し、各切目集合領域２１が隣り合う包装体の境界部分に跨るようにしてしてもよい。尚、図１０に示す粘着ラベル２は、２つの包装体を連結するのに用いられ、図１１に示す粘着ラベル２は、３つの包装体を連結するのに用いられ、図１２に示す粘着ラベル２は、４つの包装体を連結するのに用いられる。
【００３９】
又、係る切目集合領域２１を成す短小切目線２１Ａ，２１Ｂは、傾斜状とすることに限らず、例えば図１３のように、ラベル本体２２の短小切目線２１Ａ（破線で示す）を端縁２２Ａに対して傾斜状に形成する一方、保護フィルム２３の短小切目線２１Ｂ（実線で示す）をラベル本体の短小切目線２１Ａに交差する状態で、端縁２３Ａに対し直交状態に形成するようにしてもよい。
【００４０】
更に、図１４に示すように、短小切目線２１Ａ，２１Ｂをそれぞれ端縁２２Ａ，２３Ａに対して直交状態に形成しながら、短小切目線２１Ａ，２１Ｂ同士が交差せぬように、保護フィルム２３の短小切目線２１Ｂを、ラベル本体２２の短小切目線２１Ａの間に形成して、それら短小切目線２１Ａ，２１Ｂがその並び方向に対して交互に現れるようにしてもよい。尚、図１４において、短小切目線２１Ａ，２１Ｂが端縁２２Ａ，２３Ａに対して傾斜してもよい。
【００４１】
又、図１５のように保護フィルム２３にのみ、その端縁２３Ａに沿って複数条の短小切目線２１Ｂを刻むようにしてもよい。尚、図１５において、各短小切目線２１Ｂは端縁２３Ａに対して傾斜してもよい。
【００４２】
ここで、図示例では、短小切目線２１Ａ，２１Ｂを閉鎖型として端縁２２Ａ，２３Ａとの間に微少な切り残しを設けたが、それら短小切目線２１Ａ，２１Ｂを開放型として端縁２２Ａ，２３Ａに開通させるようにしてもよい。但し、粘着ラベル２の引張強度を高める上では、先に説明した例のように、ラベル本体２２の端縁２２Ａに沿って刻まれる複数条の平行な短小切目線２１Ａをその並び方向に対し傾斜する方向に向けて形成しながら、保護フィルム２３の短小切目線２１Ｂをラベル本体の短小切目線２１Ａとは逆向きに傾斜させ、それらが一つずつ互いに交差するような構成が最も好ましい。
【００４３】
一方、以上のような粘着ラベル２は、粘着ラベル３に代えて各包装体の裏面側に貼り付けてもよいし、あるいは各包装体の表裏両側に貼り付けるようにしてもよい。又、その用途として包装体の連結ほか、封緘紙などとしての用途もある。
【００４４】
一方、連結構造物とされる各包装体は、真空パックとしてスライスハムなどの加工食品を包装したものに限らず、例えば台紙と透明なプラスチックパッケージとの間に玩具その他の物品を収納したものなどでもよい。
【図面の簡単な説明】
【００４５】
【図１】本発明に係る粘着ラベルを用いた包装体の連結構造物を示す平面図
【図２】同連結構造物の側面図
【図３】同連結構造物の底面図
【図４】本発明に係る粘着ラベルを示す平面図
【図５】図４のＸ−Ｘ線における部分拡大断面図
【図６】ラベル本体と保護フィルムを別々に示した平面図
【図７】切目集合領域を示す部分拡大図
【図８】粘着ラベルが切断される状態を示す説明図
【図９】粘着ラベルの切断部分を示す拡大図
【図１０】粘着ラベルの変更例を示す平面図（２つの包装体連結用）
【図１１】粘着ラベルの変更例を示す平面図（３つの包装体連結用）
【図１２】粘着ラベルの変更例を示す平面図（４つの包装体連結用）
【図１３】短小切目線の他の形成パターンを示す部分拡大図
【図１４】短小切目線の他の形成パターンを示す部分拡大図
【図１５】短小切目線の他の形成パターンを示す部分拡大図
【符号の説明】
【００４６】
１Ａ〜１Ｃ  包装体
１１  物品
１２  物品収納部
１３  封止部
２  粘着ラベル
２１  切目集合領域
２１Ａ，２１Ｂ  短小切目線
２２  ラベル本体
２２Ａ  ラベル本体の端縁
２３  保護フィルム
２３Ａ  保護フィルムの端縁
２４  粘着層
【図１】
2007106427.tif 000003
【図２】
2007106427.tif 000004
【図３】
2007106427.tif 000005
【図４】
2007106427.tif 000006
【図５】
2007106427.tif 000007
【図６】
2007106427.tif 000008
【図７】
2007106427.tif 000009
【図８】
2007106427.tif 000010
【図９】
2007106427.tif 000011
【図１０】
2007106427.tif 000012
【図１１】
2007106427.tif 000013
【図１２】
2007106427.tif 000014
【図１３】
2007106427.tif 000015
【図１４】
2007106427.tif 000016
【図１５】
2007106427.tif 000017
【手続補正書】
【提出日】平成18年3月15日(2006.3.15)
【手続補正１】
【補正対象書類名】特許請求の範囲
【補正対象項目名】全文
【補正方法】変更
【補正の内容】
【特許請求の範囲】
【請求項１】
裏面に粘着層が形成されるラベル本体の表面を保護フィルムにより被覆した粘着ラベルにおいて、
前記ラベル本体に刻まれる複数条の短小切目線と前記保護フィルムに刻まれる複数条の短小切目線とから成る切目集合領域を有し、
前記ラベル本体の各短小切目線は、該ラベル本体の端縁に沿って並んで各々がその並び方向に対し傾斜又は直交する方向に向けて形成され、
前記保護フィルムの各短小切目線は、ラベル本体の各短小切目線と一つずつ交差する状態で保護フィルムの端縁に沿って並んで各々がその並び方向に対し傾斜又は直交する方向に向けて形成されることを特徴とする粘着ラベル。
【請求項２】
裏面に粘着層が形成されるラベル本体の表面を保護フィルムにより被覆した粘着ラベルにおいて、
前記ラベル本体に刻まれる複数条の短小切目線と前記保護フィルムに刻まれる複数条の短小切目線とから成る切目集合領域を有し、
前記ラベル本体の各短小切目線は、該ラベル本体の端縁に沿って並んで各々がその並び方向に対し傾斜又は直交する方向に向けて形成され、
前記保護フィルムの各短小切目線は、ラベル本体の各短小切目線の間で保護フィルムの端縁に沿って並んで各々がその並び方向に対し傾斜又は直交する方向に向けて形成されることを特徴とする粘着ラベル。
【請求項３】
物品を収納した物品収納部と該物品収納部を囲む鍔状の封止部とを有して成る複数個の包装体を部分的に重なり合うようにして並べ、その各包装体をその表裏両側に貼られる結合手段により連結した包装体の連結構造物において、表裏両側における結合手段の少なくとも一方が請求項１〜２のいずれかに記載の粘着ラベルで成り、その粘着ラベルにおける切目集合領域が隣り合う包装体の境界部分を跨いでいることを特徴とする粘着ラベルを用いた包装体の連結構造物。
【手続補正２】
【補正対象書類名】明細書
【補正対象項目名】全文
【補正方法】変更
【補正の内容】
【発明の詳細な説明】
【技術分野】
【０００１】
本発明は、大きな引張強さを持ちながら所定の位置で容易に切断することのできる粘着ラベルと、これを用いた包装体の連結構造物に関する。
【背景技術】
【０００２】
従来、商品の低価格販売を目的として、同種の物品を複数個纏めて販売することが一般に広く行われている。その一例として、数枚のスライスハムをプラスチックフィルムから成る包装材料で包装して個別販売が可能な包装体とし、その複数個を部分的に重なり合う状態に並べ、それらを販売価格などが記された粘着ラベルで連結したものが知られる。
【０００３】
そして、これを購入した消費者は、粘着ラベルを引き剥がして各包装体を分離した後、各包装体の中から物品を個別に取り出すことができる。
【０００４】
しかし、その種の連結構造物によれば、隣り合う包装体の物品収納部とその周囲の封止部とに粘着ラベルが強力に貼り付けられるため、各包装体が販売前に不用意に分離するのを防止することはできても、これを購入した消費者にとって各包装体を分離すべく粘着ラベルを引き剥がすことは至難であった。
【０００５】
そこで、消費者が各包装体を容易に分離できるよう、テープ片又はラベル（粘着ラベル）を各包装体の物品収納部のみに粘着せしめ、各包装体の周辺部（封止部）の位置で粘着ラベルにミシン目、Ｖ字カット、又はＩ字カットを形成することが提案されている（例えば、特許文献１）。
【０００６】
又、接着テープ（粘着ラベル）に接着領域と非接着領域を設け、非接着領域にミシン目、Ｖ字カット、又はＩ字カットを形成して切断容易部とし、その切断容易部を包装体の相互間で周辺部（封止部）の縁部に位置付けるという提案もある（例えば、特許文献２）。
【０００７】
【特許文献１】特許第２９４７３４９号公報
【０００８】
【特許文献２】特許第３５６４０４８号公報
【発明の開示】
【発明が解決しようとする課題】
【０００９】
然し乍ら、特許文献１、２に開示されるような従来方式によれば、粘着ラベルの一部が各包装体の部位に粘着されるだけなので各包装体の結束力が弱く、しかも粘着ラベルには包装体に対して非接着とされる部分にミシン目、Ｖ字カット、又はＩ字カットが形成されるので、その部分で粘着ラベルが不用意に破断してしまう虞がある。
【００１０】
例えば、ミシン目は、複数の短小な切目線が等間隔で一直線状に配列される形態であるので、包装体の輸送や陳列に際して粘着ラベルに引張力が作用すると、切目線の間に残された僅かな接続部に引張応力が集中し、係るミシン目の部分で粘着ラベルが破断してしまう。
【００１１】
又、Ｖ字カットやＩ字カットも、ラベルの一端縁からその内方に切り込まれるものであるから、その切込み部分でラベルが不用意に破断して各包装体が販売前に分離してしまう虞があった。
【００１２】
本発明は以上のような事情に鑑みて成されたものであり、その目的は大きな引張強さを持ちながら必要に応じて容易に切断することのできる粘着ラベルを提供することであり、更には係る粘着ラベルを用いた包装体の連結構造物にして、各包装体の分離作業を容易に行えるようにすることにある。
【課題を解決するための手段】
【００１３】
本発明は上記目的を達成するため、裏面に粘着層が形成されるラベル本体の表面を保護フィルムにより被覆した粘着ラベルにおいて、前記ラベル本体に刻まれる複数条の短小切目線と前記保護フィルムに刻まれる複数条の短小切目線とから成る切目集合領域を有し、前記ラベル本体の各短小切目線は、該ラベル本体の端縁に沿って並んで各々がその並び方向に対し傾斜又は直交する方向に向けて形成され、前記保護フィルムの各短小切目線は、ラベル本体の各短小切目線と一つずつ交差する状態で保護フィルムの端縁に沿って並んで各々がその並び方向に対し傾斜又は直交する方向に向けて形成されることを特徴とする。
【００１４】
又、裏面に粘着層が形成されるラベル本体の表面を保護フィルムにより被覆した粘着ラベルにおいて、前記ラベル本体に刻まれる複数条の短小切目線と前記保護フィルムに刻まれる複数条の短小切目線とから成る切目集合領域を有し、前記ラベル本体の各短小切目線は、該ラベル本体の端縁に沿って並んで各々がその並び方向に対し傾斜又は直交する方向に向けて形成され、前記保護フィルムの各短小切目線は、ラベル本体の各短小切目線の間で保護フィルムの端縁に沿って並んで各々がその並び方向に対し傾斜又は直交する方向に向けて形成されることを特徴とする。
【００１５】
一方、物品を収納した物品収納部と該物品収納部を囲む鍔状の封止部とを有して成る複数個の包装体を部分的に重なり合うようにして並べ、その各包装体をその表裏両側に貼られる結合手段により連結した包装体の連結構造物において、表裏両側における結合手段の少なくとも一方が上記のように構成される粘着ラベルで成り、その粘着ラベルにおける切目集合領域が隣り合う包装体の境界部分を跨いでいることを特徴とする。
【発明の効果】
【００１６】
本発明に係る粘着ラベルは、ラベル本体と保護フィルムの積層構造にして、その両者にそれら端縁に沿って並ぶ複数条の短小切目線が個別に刻まれ、それら短小切目線が並び方向に対して傾斜又は直交する方向を向き、しかも保護フィルムの各短小切目線がラベル本体の各短小切目線に対し一つずつ交差されるか、又はラベル本体の各短小切目線の間に設けられることから、ラベル本体と保護フィルムが短小切目線の並び方向に沿う端縁の引張力に対する耐力低下を互いに補完し合う。
【００１７】
このため、ラベル本体と保護フィルムの各短小切目線から成る切目集合領域で粘着ラベルが不用意に破断してしまうことがなく、しかもラベル切断を意図して切目集合領域に所要の作用力を与えれば、保護フィルムの端縁に沿って形成される各短小切目線のうちの一箇所を出発点として保護フィルムを切断しながら、これに沿ってラベル本体を一緒に切断することができる。
【００１８】
一方、上記のような粘着ラベルにより連結される包装体の連結構造物によれば、粘着ラベルにおける切目集合領域が隣り合う包装体の境界部分に跨っていることから、各包装体を必要に応じて簡単に分離することができ、包装体を製造元から販売先に輸送するときなどには各包装体を連結状態に維持することができる。
【発明を実施するための最良の形態】
【００１９】
以下、本発明を図面に基づいて詳しく説明する。図１は本発明に係る粘着ラベルを用いた包装体の連結構造物の構成例を示した平面図、図２は同連結構造物の側面図、図３は同連結構造物の底面図である。これらの図において、１Ａ，１Ｂ，１Ｃは包装体（本例において３連式）であり、その各包装体１Ａ〜１Ｃは、ポリエチレンやポリプロピレンといった熱可塑性を有する二枚のプラスチックフィルムで物品１１を挟み、その周囲をヒートシールして構成される。
【００２０】
本例において、物品１１は複数枚のスライスハムであり、これを収納した物品収納部１２は円形状を成して物品１１の厚さ分だけ表面側が隆起される。一方、１３は物品収納部１２を残して上下二枚のプラスチックフィルムをヒートシールして成る封止部であり、この封止部１３は四角い鍔状にして物品収納部１２を囲み、物品収納部１２の気密性を保持する働きをする。尚、封止部１３の一角は非溶着の開封部１４とされ、この開封部１４から上下のプラスチックフィルムを剥離して物品収納部１２内の物品１１を取り出し得るようになっている。
【００２１】
そして、以上のように構成される各包装体１Ａ〜１Ｃは、部分的に重なり合うようにして横列状に並べられ、それらの表裏両側に結合手段として粘着ラベル２，３が貼られて一体の連結構造物とされる。
【００２２】
本例において、粘着ラベル２，３は帯状の形態であり、このうち表側の粘着ラベル２には商品名や販売価格などが記され、裏側の粘着ラベル３には物品１１の原材料や製造元などが記される。尚、粘着ラベル２，３は、楕円形その他の形状でもよい。
【００２３】
ここに、粘着ラベル２，３は、隣り合う包装体１Ａ，１Ｂ及び１Ｂ，１Ｃの物品収納部１２と封止部１３とに粘着され、それらの両端は連結方向両側に位置する包装体１Ａ，１Ｃの物品収納部１２に粘着される。特に、本例において、表側の粘着ラベル２は、長辺側の両端縁に沿う領域が、その全長に亘って該粘着ラベルを横断方向に切断するのに用いられる帯状の切目集合領域２１とされ、その切目集合領域２１が隣り合う包装体１Ａ，１Ｂおよび１Ｂ，１Ｃの境界部分を跨いで各包装体１Ａ〜１Ｃの連結方向に延びるようになっている。
【００２４】
図４は係る粘着ラベルを示した平面図であり、図５には図４のＸ−Ｘ線における部分拡大断面を示す。
【００２５】
図５から明らかなように、係る粘着ラベル２は、ベースとなるラベル本体２２と該ラベル本体の表面全体を被覆する保護フィルム２３とを有して成る薄い積層構造物である。このうち、ラベル本体２２は原紙から打ち抜かれる定形の紙片（印刷紙）で、その裏面には粘着剤の塗工による粘着層２４が形成され、これと反対側の表面には印刷が施される。一方、保護フィルム２３はラベル本体２２と同形とされる合成樹脂製の薄片であり、これはラベル本体２２の表面上に重ねてヒートシールされるか、あるいは接着剤を用いてラベル本体２２の表面に接着される。尚、粘着層２４には使用前において図示せぬ離型紙（剥離ライナ）が貼着される。
【００２６】
図６は、ラベル本体と保護フィルムを別々に示した平面図である。これらの図で明らかなように、ラベル本体２２には、相対する長辺側の２つの端縁２２Ａ，２２Ａに沿って複数条の平行な短小切目線２１Ａが一定の間隔で刻まれる。本例において、ラベル本体２２の各短小切目線２１Ａは、その並び方向（端縁２２Ａの長さ方向）に対し傾斜する方向に向けて形成される斜めの切込みで、それらは各一端がラベル本体の端縁２２Ａに通じず閉鎖される。
【００２７】
一方、保護フィルム２３にも、相対する長辺側の２つの端縁２３Ａ，２３Ａに沿って複数条の平行な短小切目線２１Ｂが一定の間隔で刻まれる。この短小切目線２１Ｂもその並び方向（端縁２３Ａの長さ方向）に対し傾斜する方向に向けて形成され、その各一端が保護フィルム２３の端縁２３Ａに通じず閉鎖されるが、係る短小切目線２１Ｂはラベル本体の短小切目線２１Ａとは傾斜方向が逆向きとされる。
【００２８】
そして、保護フィルム２３の各短小切目線２１Ｂは、ラベル本体２２の表面上にあってその各短小切目線２１Ａに一つずつ交差され（図４に×印で示される）、それら各短小切目線２１Ａ，２１Ｂが同方向に連なって上記の切目集合領域２１が構成される。
【００２９】
ここで、上記のように構成される粘着ラベル２の作用を説明する。係る粘着ラベル２によれば、切目集合領域２１の長さ方向への引張力に対し、ラベル本体２２は短小切目線２１Ａの存在により端縁２２Ａの耐力が低下し、保護フィルム２３では短小切目線２１Ｂの存在により端縁２３Ａの耐力が低下している。
【００３０】
しかしながら、ラベル本体２２の端縁２２Ａの耐力低下はその上に重なる保護フィルム２３により補完され、保護フィルム２３の端縁２３Ａの耐力低下はその下に存在するラベル本体２２により補完される。
【００３１】
このため、係る粘着ラベル２は、ミシン目、Ｖ字カット、Ｉ字カットを設けた従来品に比べて大きな引張り強度を有しているが、図７のように切目集合領域に局部的に所要の引張力を作用せしめると、引張力が集中する位置において、保護フィルム２３は短小切目線２１Ｂ（実線で示す）の一端と端縁２３Ａとの間ａが破断し、これに隣接する位置でラベル本体２２は短小切目線２１Ａ（破線で示す）の一端と端縁２２Ａとの間ｂが破断する。
【００３２】
しかして、図８のように保護フィルム２３が短小切目線２１Ｂの位置から切り裂かれつつ、これに沿ってラベル本体２２も短小切目線２１Ａの位置から切り裂かれていくのであり、よって刃物を使用せずして粘着ラベル２を切断することができ、これによって連結される包装体も隣り合うもの同士の境界部分に切目集合領域２１が跨っているために（図１参照）、各包装体の分離作業を容易に行うことができる。尚、図９には粘着ラベル２の切断部分を拡大して示している。
【００３３】
次に、以上のような粘着ラベル２の製造方法を簡単に説明すれば、先ずラベル本体２２と成す原紙に印刷を施し、その裏面には粘着剤を塗工して離型シートを貼り付ける。次いで、原紙の各区域に短小切目線を刻み、その表面上に保護フィルム２３と成すプラスチックフィルムシートを重ね、これをヒートシールするか、又は接着剤を用いて接着する。
【００３４】
その後、プラスチックフィルムシートと印刷が施された原紙とを、同一の打抜型を用いて同時に打ち抜き、これと同時に原紙に刻んだ短小切目線の位置でプラスチックフィルムシートにその厚さ分だけ刃物を入れて短小切目線を刻み、これによって上記例のような粘着ラベル２を得る。
【００３５】
以上、本発明の構成例を説明したが、粘着ラベル２は上記のような構成に限らず、例えば図１０〜図１２のように切目集合領域２１を複数に分けて設け、部分的に重なり合う複数個の包装体を連結するに際し、各切目集合領域２１が隣り合う包装体の境界部分に跨るようにしてしてもよい。尚、図１０に示す粘着ラベル２は、２つの包装体を連結するのに用いられ、図１１に示す粘着ラベル２は、３つの包装体を連結するのに用いられ、図１２に示す粘着ラベル２は、４つの包装体を連結するのに用いられる。
【００３６】
又、係る切目集合領域２１を成す短小切目線２１Ａ，２１Ｂは、傾斜状とすることに限らず、例えば図１３のように、ラベル本体２２の短小切目線２１Ａ（破線で示す）を端縁２２Ａに対して傾斜状に形成する一方、保護フィルム２３の短小切目線２１Ｂ（実線で示す）をラベル本体の短小切目線２１Ａに交差する状態で、端縁２３Ａに対し直交状態に形成するようにしてもよい。
【００３７】
更に、図１４に示すように、短小切目線２１Ａ，２１Ｂをそれぞれ端縁２２Ａ，２３Ａに対して直交状態に形成しながら、短小切目線２１Ａ，２１Ｂ同士が交差せぬように、保護フィルム２３の短小切目線２１Ｂを、ラベル本体２２の短小切目線２１Ａの間に形成して、それら短小切目線２１Ａ，２１Ｂがその並び方向に対して交互に現れるようにしてもよい。尚、図１４において、短小切目線２１Ａ，２１Ｂが端縁２２Ａ，２３Ａに対して傾斜してもよい。
【００３８】
ここで、図示例では、短小切目線２１Ａ，２１Ｂを閉鎖型として端縁２２Ａ，２３Ａとの間に微少な切り残しを設けたが、それら短小切目線２１Ａ，２１Ｂを開放型として端縁２２Ａ，２３Ａに開通させるようにしてもよい。但し、粘着ラベル２の引張強度を高める上では、先に説明した例のように、ラベル本体２２の端縁２２Ａに沿って刻まれる複数条の平行な短小切目線２１Ａをその並び方向に対し傾斜する方向に向けて形成しながら、保護フィルム２３の短小切目線２１Ｂをラベル本体の短小切目線２１Ａとは逆向きに傾斜させ、それらが一つずつ互いに交差するような構成が最も好ましい。
【００３９】
一方、以上のような粘着ラベル２は、粘着ラベル３に代えて各包装体の裏面側に貼り付けてもよいし、あるいは各包装体の表裏両側に貼り付けるようにしてもよい。又、その用途として包装体の連結ほか、封緘紙などとしての用途もある。
【００４０】
一方、連結構造物とされる各包装体は、真空パックとしてスライスハムなどの加工食品を包装したものに限らず、例えば台紙と透明なプラスチックパッケージとの間に玩具その他の物品を収納したものなどでもよい。
【図面の簡単な説明】
【００４１】
【図１】本発明に係る粘着ラベルを用いた包装体の連結構造物を示す平面図
【図２】同連結構造物の側面図
【図３】同連結構造物の底面図
【図４】本発明に係る粘着ラベルを示す平面図
【図５】図４のＸ−Ｘ線における部分拡大断面図
【図６】ラベル本体と保護フィルムを別々に示した平面図
【図７】切目集合領域を示す部分拡大図
【図８】粘着ラベルが切断される状態を示す説明図
【図９】粘着ラベルの切断部分を示す拡大図
【図１０】粘着ラベルの変更例を示す平面図（２つの包装体連結用）
【図１１】粘着ラベルの変更例を示す平面図（３つの包装体連結用）
【図１２】粘着ラベルの変更例を示す平面図（４つの包装体連結用）
【図１３】短小切目線の他の形成パターンを示す部分拡大図
【図１４】短小切目線の他の形成パターンを示す部分拡大図
【符号の説明】
【００４２】
１Ａ〜１Ｃ  包装体
１１  物品
１２  物品収納部
１３  封止部
２  粘着ラベル
２１  切目集合領域
２１Ａ，２１Ｂ  短小切目線
２２  ラベル本体
２２Ａ  ラベル本体の端縁
２３  保護フィルム
２３Ａ  保護フィルムの端縁
２４  粘着層
【手続補正３】
【補正対象書類名】図面
【補正対象項目名】図１５
【補正方法】削除
【補正の内容】